(57)【要約】【課題】角度調整時も含むチルト部の止水を確実に行うことができるチルト部の止水構造提供する。【解決手段】チルト軸Ｔａを中心としたそれぞれの内周面Ｓ１と外周面Ｓ２とが相対回転可能に嵌合された下チルト部１１ａと上チルト部１２ａと、内周面Ｓ１環状に形成されたリング溝Ｇ１と、リング溝Ｇ１に装着されたＯリングＲ５と、下チルト部１１ａをチルト軸Ｔａに沿って貫通して先端側を上チルト部１２ａに螺合させるとともに、締付けにより下チルト部１１ａと上チルト部１２ａとの相対回転及びチルト軸Ｔａに沿った相対移動を禁止し、また、弛緩により相対回転及び相対移動を許容するビスＢ１と、上チルト部１２ａに固定され、ビスＢ１の弛緩時に下チルト部１１ａと当接することで相対移動を停止させるチルトホルダー１４とを備え、チルトホルダー１４は、ＯリングＲ５により止水が行われる範囲内で、下チルト部１１ａの相対移動を許容する。【選択図】図７
2015130231.tif 000002
【特許請求の範囲】
【請求項１】
チルト軸を中心としたそれぞれの内周面と外周面とが相対回転可能に嵌合された第１チルト部と第２チルト部と、
前記内周面と前記外周面とのうちの一方に環状に形成されたリング溝と、
前記リング溝に装着された止水リングと、
前記第１チルト部を前記チルト軸に沿って貫通して先端側を前記第２チルト部に螺合させるとともに、締付けにより前記第１チルト部と前記第２チルト部との相対回転及びチルト軸に沿った相対移動を禁止し、また、弛緩により相対回転及び相対移動を許容する締結ねじと、
前記第２チルト部に固定され、前記締結ねじの弛緩時に前記第１チルト部と当接することで前記相対移動を停止させるストッパ部材と、を備え、
前記ストッパ部材は、前記止水リングにより止水が行われる範囲内で、前記第１チルト部の相対移動を許容する、
ことを特徴とするチルト部の止水構造。
【請求項２】
相互に対向する前記第１チルト部の当接部と前記ストッパ部材の当接部との間の第１の間隙が、前記内周面と前記外周面とのうちの他方の先端から前記止水リングまでの距離よりも小さく設定されている、
ことを特徴とする請求項１に記載のチルト部の止水構造。
【請求項３】
前記締結ねじに装着されて、前記締結ねじの弛緩により、前記第１チルト部に当接する止め部材を備え、
前記止め部材と前記第１チルト部との間の第２の間隙と、前記第１の間隙との和が、前記第２チルト部に対する前記締結ねじの有効螺合長よりも小さく設定されている、
ことを特徴とする請求項１又は２に記載のチルト部の止水構造。
【請求項４】
前記ストッパ部材は、
前記チルト軸を中心とした環状に形成されて、前記第１チルト部の相対回転及び相対移動をガイドする環状ガイド部と、
前記環状ガイド部を前記第２チルト部側に固定するための固定部と、を有する、
ことを特徴とする請求項１ないし３のいずれか１項に記載のチルト部の止水構造。
【請求項５】
光源を有する照明器具本体と、前記照明器具本体を設置するための取付具とを備えた照明器具において、
前記取付具は、
ベースと、
前記ベースに固定された第１アームと、
一方の端部が前記第１アームに対してチルト部を介して傾斜角度調整可能に連結されるとともに他方の端部が前記照明器具本体に連結された第２アームと、を有し、
前記チルト部が、請求項１ないし４のいずれか１項に記載のチルト部の止水構造を有する、
ことを特徴とする照明器具。
【発明の詳細な説明】
【技術分野】
【０００１】
本発明は、スポットライト，ダウンライト等の照明器具に採用されるチルト部の止水構造、及びこれを備えた照明器具に関する。
【背景技術】
【０００２】
スポットライト，ダウンライト等の照明器具において、水等の浸入を防止するために、Ｏリング等の止水部材を使用する技術が知られている（例えば、特許文献１参照）。
【０００３】
軸心方向に沿って隣接する２つの部材間や径方向に隣接する２つの部材間にＯリング等の止水部材を配設し、これらを押し潰すことにより、止水を実現している。
【先行技術文献】
【特許文献】
【０００４】
【特許文献１】特開２００６−２３６８４６号公報
【発明の概要】
【発明が解決しようとする課題】
【０００５】
しかしながら、特許文献１の発明は、静的な止水には十分であったとしても、相互に回動自在なチルト部やターン部の止水には必ずしも十分でないおそれがある。
【０００６】
例えば、一方の部材に対して他方の部材をチルト（傾斜）可能に連結しているチルト部においては、調整ねじを締め付けることで、両部材を固定して所定のチルト角度を維持し、また、調整ねじを緩めることで、他方の部材のチルト動作（回転動作）を可能とし、他方の部材を動かしてチルト角の調整を行った後、調整ねじを締め付けて固定する。この調整ねじを緩めた際に、Ｏリング等の止水部材の挟持圧が低下して、ここから水が浸入するおそれがある。
【０００７】
本発明は、上述した事情に鑑みてなされたものであり、チルト角の調整時の止水を確実に行うことができるチルト部の止水構造、及びこれを備えた照明器具を提供することを目的とする。
【課題を解決するための手段】
【０００８】
請求項１に係る発明は、チルト部の止水構造において、チルト軸を中心としたそれぞれの内周面と外周面とが相対回転可能に嵌合された第１チルト部と第２チルト部と、前記内周面と前記外周面とのうちの一方に環状に形成されたリング溝と、前記リング溝に装着された止水リングと、前記第１チルト部を前記チルト軸に沿って貫通して先端側を前記第２チルト部に螺合させるとともに、締付けにより前記第チルト部と前記第２チルト部との相対回転及びチルト軸に沿った相対移動を禁止し、また、弛緩により相対回転及び相対移動を許容する締結ねじと、前記第２チルト部に固定され、前記締結ねじの弛緩時に前記第１チルト部と当接することで前記相対移動を停止させるストッパ部材と、を備え、前記ストッパ部材は、前記止水リングにより止水が行われる範囲内で、前記第１チルト部の相対移動を許容する、ことを特徴とする。
【０００９】
請求項２に係る発明は、請求項１に係るチルト部の止水構造において、相互に対向する前記第１チルト部の当接部と前記ストッパ部材との当接部との間の第１の間隙が、前記内周面と前記外周面とのうちの他方の先端から前記止水リングまでの距離よりも小さく設定されている、ことを特徴とする。
【００１０】
請求項３に係る発明は、請求項１又は２に係るチルト部の止水構造において、前記締結ねじに装着されて、前記締結ねじの弛緩により、前記第１チルト部に当接する止め部材を備え、前記止め部材と前記第１チルト部との間の第２の間隙と、前記第１の間隙との和が、前記第２チルト部に対する前記締結ねじの有効螺合長よりも小さく設定されている、ことを特徴とする。
【００１１】
請求項４に係る発明は、請求項１ないし３のいずれか１項に係るチルト部の止水構造において、前記ストッパ部材は、前記チルト軸を中心とした環状に形成されて、前記第１チルト部の相対回転及び相対移動をガイドする環状ガイド部と、前記環状ガイド部を前記第２チルト部側に固定するための固定部と、を有する、ことを特徴とする。
【００１２】
請求項５に係る発明は、光源を有する照明器具本体と、前記照明器具本体を設置するための取付具とを備えた照明器具において、前記取付具は、ベースと、前記ベースに固定された第１アームと、一方の端部が前記第１アームに対してチルト部を介して傾斜角度調整可能に連結されるとともに他方の端部が前記照明器具本体に連結された第２アームと、を有し、前記チルト部が、請求項１ないし４のいずれか１項に記載のチルト部の止水構造を有する、ことを特徴とする。
【発明の効果】
【００１３】
請求項１の発明によれば、第１チルト部と第２チルト部の相対回転を可能にすべく締結ねじを緩めた場合でも、止水リングによる止水を確実に行うことができる。
【００１４】
請求項２の発明によれば、相互に対向する第１チルト部の当接部とストッパ部材の当接部との間の第１の間隙を、内周面と外周面とのうちの他方の先端から止水リングまでの距離よりも小さく設定することにより、他方の先端が止水リングから外れることがないので、止水リングによる止水を確実に行うことができる。
【００１５】
請求項３の発明によれば、締結ねじに装着された止め部材と第１チルト部との間の第２の間隙と、上述の第１の間隙との和が、第２チルト部に対する締結ねじの有効螺合長よりも小さくなるように設定することにより、締結ねじを最大限緩めた場合でも、締結ねじが
第２チルト部から外れることがない。
請求項４の発明によれば、ストッパ部材は、環状ガイド部により、第１チルト部の相対回転及び相対移動をガイドすることができる。
【００１６】
請求項５の発明によれば、チルト部に上述のチルト部の止水構造を設けているので、第１アームに対して第２アームのチルト角の調整を行う際に、チルト部の止水を確実に行うことができる。このため、チルト角の調整を、例えば、雨中でも問題なく行うことができる。
【図面の簡単な説明】
【００１７】
【図１】前側から見た照明器具１００の分解斜視図である。
【図２】照明器具１００の正面図である。
【図３】図２中のＡ−Ａ線矢視図である。
【図４】照明器具１００の右側面図である。
【図５】図４中のＢ−Ｂ線矢視図である。
【図６】チルトホルダー１４近傍の拡大図である。
【図７】図５中のチルト部Ｔの拡大図である。
【発明を実施するための形態】
【００１８】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００１９】
まず、図１〜図３を参照して本発明を適用した実施形態に係る照明器具１００について説明し、つづいて、図４〜図７を参照して本発明を適用した実施形態に係るチルト部の止水構造Ｓについて説明する。
【００２０】
なお、以下では、説明の便宜上、図１中の左側、右側がそれぞれ照明器具１００の前側、後側に対応し、また、図１中の上側、下側がそれぞれ照明器具１００の上側、下側に対応するものとして説明する。
【００２１】
ここで、図１は、前側から見た照明器具１００の分解斜視図である。また、図２は、照明器具１００の正面図である。そして、図３は、図２中のＡ−Ａ線矢視図である。
【００２２】
以下の説明では、照明器具１００が、屋外に設置されるスポットライトである場合を例に説明する。このため、屋内用のスポットライトと比較して、後述するＯリングＲ１〜Ｒ６等により防水性が向上され、さらに、後述するアーム１３等により、照明器具本体Ｂｏの回転（ターン）及び首振り（チルト）が可能となっている。
【００２３】
照明器具１００は、図１に示すように、照明器具本体Ｂｏとこの照明器具本体Ｂｏを所定の位置に取り付けるための取付具Ｍｏとから構成されている。照明器具本体Ｂｏは、軸心Ｃ１に沿って後側からほぼ順に、アウターガード１、ソケット２、面状光源（光源）３、インナーボディー４、リフレクター５、フィルターＦ１，Ｆ２（区別する必要がない場合には、単にフィルターＦという。）、フィルターホルダー６、ガラスホルダー（保持部材）７、プロテクトガラス８、及びフード９を備えている。一方、取付具Ｍｏは、下側からほぼ順に、ベース１０、アーム１３（下アーム１１、上アーム１２）、チルトホルダー１４、及びパンホルダー１５を備えている。さらに、照明器具１００は、防水や止水のためのＯリングＲ１〜Ｒ６、及び上述の各部材を締結（固定）するための多数のビスを備えている。
【００２４】
上述の照明器具本体Ｂｏ（アウターガード１〜フード９）のうち、アウターガード１は、図１，図３に示すように、円筒状の外壁１ａと、外壁１ａの後端側内側に配置されたヒートシンク１ｂと、多数の放熱フィン１ｃとを有している。放熱フィン１ｃは、外壁１ａとヒートシンク１ｂとの間に放射状に多数設けられている。さらに、放熱フィン１ｃは、後側から見た背面視の形状が湾曲形状に形成されるとともに、外壁１ａの前端まで延設されていて、放熱効果を高めるべく表面積の増大が図られている。外壁１ａにおける前後方向の中心よりも前寄りの下側には、後述する上アーム１２の上端が貫通する透孔１ｄが穿設されている。アウターガード１全体は、例えば、アルミニウムのダイキャストで形成されていて、後述の面状光源３で発生した熱を、速やかにヒートシンクに移動させ、さらに、放熱フィン１ｃ及び外壁１ａから放熱するようになっている。
【００２５】
面状光源３は、例えば、多数のＬＥＤ素子を有するＣＯＢ（チップ・オン・ボード）タイプのＬＥＤの表面を、蛍光体を含む樹脂で覆って形成されたものを使用することができる。面状光源３は、例えば、円形に形成されていて、ソケット２により、上述のヒートシンク１ｂの取付面（前端面）１ｅに固定されている。面状光源３は、前方に向かってほぼ１２０度の照射角で光を発生させる。なお、光源としては、上述の面状光源３に限らず、他の面状光源や、ハロゲンランプ，ＨＩＤランプ（高輝度放電ランプ ）などのいわゆる点状光源を使用してもよい。
【００２６】
インナーボディー４は、筒状部４ａと、この筒状部４ａの前端側に設けられたフランジ部４ｂと、筒状部４ａの下端に突設された取付部４ｃとを有している。筒状部４ａの後端側上部には、筒状部４ａの内側と外側とを貫通する透孔（不図示）が穿設されている。この透孔は、シートカバー４ｄで固定された内圧調整膜４ｅで覆われている。内圧調整膜４ｅは、面状光源３の発熱に伴って上昇した内圧を透孔から外部に逃がすとともに、外部からの水や塵埃の浸入を防止するものである。インナーボディー４は、筒状部４ａの後端がＯリングＲ１を介してヒートシンク１ｂの取付面１ｅに固定され、また、取付部４ｃには上アーム１２の上端が、回動可能に取り付けられている。インナーボディー４は、その内側に、次に説明するリフレクター５が収納されている。
【００２７】
リフレクター５は、その内面が放物曲面状に形成された反射面５ａとなっている。リフレクター５の後端は面状光源３を配設するためにカットされ、また、前端は、外側に屈曲されてフランジ部５ｂを構成している。リフレクター５は、そのフランジ部５ｂがインナーボディー４のフランジ部４ｂに前側から固定され、放物曲面状の反射面５ａの焦点が面状光源３の中心に合わされている。これにより、面状光源３から出た光は、反射面５ａで反射されて、軸心Ｃ１に対してほぼ平行となって前面開口部５ｃから出て行くようになっている。
【００２８】
フィルターホルダー６は、円筒部６ａとその後端に形成されたフランジ部６ｂとを有している。円筒部６ａの内周面には、２つの環状凹部が形成されていて、これら環状凹部により、光を演出する円板状のフィルターＦ１，Ｆ２を保持している。フィルターＦとしては、光の演出が異なる別のフィルターＦを装着することも可能である。フィルターホルダー６は、シリコーンゴム等の弾性部材によって形成されていて、フランジ部６ｂがリフレクター５と次に説明するガラスホルダー７とによって挟持されている。
【００２９】
ガラスホルダー７は、筒状部７ａとその後端に形成されたフランジ部７ｂとを有している。ガラスホルダー７は、その筒状部７ａの内側に、フィルターホルダー６の円筒部６ａが挿入された状態で、筒状部７ａの後端がリフレクター５のフランジ部５ｂとの間で、フィルターホルダー６のフランジ部６ｂを挟持している。
【００３０】
フード９は、筒状部９ａとその前端から内側に延びる円環部９ｂとを有している。フード９は、円環部９ｂの後端面がＯリングＲ３を介してプロテクトガラス８をガラスホルダー７のフランジ部７ｂに押圧し、また、筒状部９ａがＯリングＲ２を介してインナーボディー４のフランジ部４ｂの外周部に嵌合された状態で、インナーボディー４のフランジ部４ｂの前側に、六角穴付きのビスＢ４によって固定されている。
【００３１】
上述の取付具Ｍｏ（ベース１０〜パンホルダー１５）のうち、ベース１０は、容器状の下ベース１０ａと蓋状の上ベース１０ｂとを組み合わせて構成されていて、上ベース１０ｂの上面には、台座１０ｃが設けられている。
【００３２】
下アーム（第１アーム）１１は、上端に下チルト部１１ａを有しており、下端がＯリングＲ４を介して上ベース１０ｂの台座１０ｃに固定されることにより、ベース１０に立設されている。
【００３３】
上アーム（第２アーム）１２は、下端に上チルト部１２ａを有している。この上チルト部１２ａは、ＯリングＲ５を介して下アーム１１の下チルト部１１ａに回動可能に係合されるとともに、六角穴付きのビスＢ１によって固定されている。これにより、ビスＢ１を緩めることにより、上アーム１２は、下アーム１１に対して上下方向に傾斜（チルト）することが可能となり、ビスＢ１を締め付けることにより、そのときの傾斜角を維持した状態で固定される。
【００３４】
チルトホルダー１４は、下アーム１１の下チルト部１１ａの右端面に、ストッパとして配設されている。チルトホルダー１４は、下チルト部１１ａによって回動可能に支持されるとともに、一部が上アーム１２に固定されている。また、チルトホルダー１４と下チルト部１１ａの右端面との間には間隙が設けられている。ビスＢ１を緩めて行くと、下チルト部１１ａは、上チルト部１２ａに対して間隙に相当する距離だけ移動してチルトホルダー１４に当接し、それ以上の移動が禁止される。さらに、このときの下チルト部１１ａの移動範囲内では、ＯリングＲ５による止水性能は低下しないようになっている。つまり、ビスＢ１を緩めてチルト角を調整する際にも、確実に止水を行うことができる。また、このチルトホルダー１４には、目盛りが付されていて、下アーム１１に対する上アーム１２のチルト角を確認することができるようになっている。
【００３５】
上アーム１２の上下方向のほぼ中央には、外周面を４等分する位置のそれぞれにセットビスＢ２が、頭部を突出させた状態で螺合されている。また、上アーム１２の上端は、外周面にＯリングＲ６が装着された状態で、上述のアウターガード１の外壁１ａの透孔１ｄを貫通してインナーボディー４の取付部４ｃに挿入されている。このとき、取付部４ｃの下端がセットビスＢ２の頭部に当接している。すなわち、インナーボディー４は、上アーム１２のセットビスＢ２に乗っかった状態で、回動可能となっている。さらに、取付部４ｃには、抜け止めビスＢ３が螺合されていて、その先端部を上アーム１２の上端部に係合させている。
【００３６】
パンホルダー１５は、インナーボディー４の取付部４ｃに下方から六角穴付きのビスＢ５によって固定されている。パンホルダー１５は、取付部４ｃの下端との間に、上述の４本のセットビスＢ２の頭部を挟み込んで、上アーム１２に対するインナーボディー４の上下方向の位置を規制するとともに、インナーボディー４の回動を可能にしている。パンホルダー１５は、さらに、４本のセットビスＢ２及び抜け止めビスＢ３を覆って、これらが不要に操作されないようにしている。
【００３７】
上述の照明器具１００において、面状光源３から出た光は、インナーボディー４に収納されたリフレクター５の反射面５ａで反射され、フィルターＦ１，Ｆ２、及びプロテクトガラス８を透過して、外部に出て行く。このとき面状光源３で発生した熱は、アウターガード１等を介して放出される。また、下アーム１１に対して上アーム１２が揺動可能（チルト可能）に取り付けられ、さらに、上アーム１２に対してインナーボディー４が回動可能（ターン可能）に取り付けられている。つまり、照明器具本体Ｂｏは、取付具Ｍｏに対して、チルト可能かつターン可能となっている。さらに、上述のように隣接する各部材間に、多数のＯリングＲ１〜Ｒ６を介装することにより、防水性・止水性を向上させている。
つづいて、図４〜図７を参照してチルト部の止水構造Ｓについて説明する。
【００３８】
ここで、図４は、照明器具１００の右側面図である。また、図５は、図４中のＢ−Ｂ線矢視図である。また、図６は、チルトホルダー１４近傍の拡大図である。また、図７は、図５中のチルト部Ｔの拡大図である。なお、図５，図７においては、説明の便宜上、同図中の右側、左側がそれぞれ照明器具１００の右側、左側に対応するものとして説明する。これに従うと、チルト軸Ｔａは、左右方向の延びるように配置されていることになる。
【００３９】
図７に示すように、チルト部の止水構造Ｓは、下チルト部（第１チルト部）１１ａと、上チルト部（第２チルト部）１２ａと、リング溝Ｇ１と、Ｏリング（止水リング）Ｒ５と、六角穴Ｂａ付きのビス（締結ねじ）Ｂ１と、チルトホルダー（ストッパ部材）１４とを備えて構成されている。また、下アーム１１の上端の下チルト部１１ａと上アーム１２の下端の上チルト部１２ａとによってチルト部Ｔが構成されている。また、上アーム１２の一方の端部は、下アーム１１に連結され、他方の端部は、インナーボディー４に連結されている。
【００４０】
このうち下チルト部１１ａは、円筒状の外筒部１１ｃと、外筒部１１ｃの右端から内側に延びるドーナツ部１１ｂと、ドーナツ部１１ｂの中央に凹部を形成する内筒部１１ｄ及び底部１１ｅと、ドーナツ部１１ｂの右端面から突設された環状凸部１１ｇとを有しており、これらは一体に形成されている。上述の外筒部１１ｃの内側は、チルト軸Ｔａを中心とした円筒状の内周面Ｓ１となっており、また、底部１１の中央には、ビスＢ１が右側から貫通する透孔１１ｉが穿設されており、また、環状凸部１１ｇの表面（右端面）１１ｈには、下アーム１１に対する上アーム１２のチルト角を表示する目盛りが周方向に付されている。なお、この目盛りは、下アーム１１に対する照明器具本体Ｂｏのチルト角として表示されている。外筒部１１ｃの内周面Ｓ１おける左端部近傍には、周方向に沿った環状のリング溝Ｇ１が形成されており、ここにはＯリングＲ５が装着されている。
【００４１】
上チルト部１２ａは、外筒部１２ｃと、外筒部１２ｃの右端面の内周側から右方に延びる筒状部１２ｄと、外筒部１２ｃの左端から内側に延びる円板部１２ｂと、円板部１２ｂの中心から右側に延びる内筒部１２ｇとを有しており、これらは一体に形成されている。外筒部１２ｃの右端面と筒状部１２ｄの左端側との間には、段部１２ｅが形成されている。内筒部１２ｇの内周面にはめねじ部１２ｉが螺刻されていて、ビスＢ１の先端側のおねじ部Ｂｃが螺合されている。なお、ビスＢ１の先端側の２点鎖線は、これより右側（基端側）が、おねじ部の有効範囲であることを示す境界線Ｂｂである。
【００４２】
上チルト部１２ａは下チルト部１１ａに相対回転可能に嵌合されて、ビスＢ１によって固定されている。下チルト部１１ａの外筒部１１ｃの内周面Ｓ１には、リング溝Ｇ１にＯリングＲ５が装着されている。上チルト部１２ａは、その筒状部１２ｄの外周面Ｓ２を、下チルト部１１ａ側の内周面Ｓ１に嵌合させ、段部１２ｅを外筒部１１ｃの左端面に当接させている。なお、外周面Ｓ２と内周面Ｓ１とは、両者の相対回転及びチルト軸Ｔａに沿った相対移動を可能にすべく、適宜な間隙を介して嵌合されている。
【００４３】
この状態で、ビスＢ１は、下チルト部１１ａの底部１１ｅの透孔１１ｉを右側から貫通し、その先端側のおねじ部Ｂｃを上チルト部１２ａ側のめねじ部１２ｉに螺合させて、上チルト部１２ａに下チルト部１１ａを固定している。このとき、ゴムパッキン付きの座金ＷのそのゴムパッキンをビスＢ１のおねじ部Ｂｃに食い込ませることで、この部分の止水を図っている。ねじ部Ｂｃの一部には、環状溝Ｇ２が全周にわたって形成されていて、この環状溝Ｇ２には、Ｅリング等の止め輪（止め部材）Ｅが装着されている。
【００４４】
チルトホルダー１４は、図６，図７に示すように、環状ガイド部１４ｄと、環状ガイド部１４ｄから外側に向かって突設された固定部１４ａとを備えていて、固定部１４ａがビスＢ４によって上アーム（第２チルト部側）１２に固定されている。環状ガイド部１４ｄは、チルト軸Ｔａを中心とした環状に形成されていて、内周面が上述の下チルト部１１ａの環状凸部１１ｇに係合されている。環状ガイド部１４ｄの裏面（左端面）は、平坦に形成されていて、全周にわたって当接面（ストッパ面、当接部）１４ｃとなっている。この当接面１４ｃは、後述するように、第１チルト部１１ａの右端面に環状に形成された当接面（当接部）１１ｊが当接される。これら相互に対向する当接面１１ｊと環状ガイド部１４ｄの間には、間隙（第１の間隙）ｄが形成されている。なお、間隙ｄの距離（幅）についても適宜、距離ｄというものとする。環状ガイド部１４ｄの表面（右端面）には、目盛り１４ｂが付されていて、下チルト部１１ａの環状凸部１１ｇの表面１１ｈに周方向に付された目盛りと組み合わせることで、下アーム１１に対する上アーム１１のチルト角を確認することができるようになっている。チルトホルダー１４は、その環状ガイド部１４ｄが、下アーム１１に対する上アーム１２のチルト動作に伴って、下アーム１１側の環状凸部１１ｇの周囲を回転することができる。また、チルトホルダー１４は、後述するように、ビスＢ１を緩めた際の、下チルト部１１ａのチルト軸Ｔａ方向の移動をガイドするとともに、下チルト部１１ａの移動を停止させるストッパとなる。さらに、チルトホルダー１４の当接面１４ｃ、及び下チルト部１１ａの当接面１１ｊが全周にわたって広い面積でも設けられているので、チルトホルダー１４は、移動してきた下ホルダ部１１ａをその全周で、不要な傾斜等を伴うことなく確実に受け止めることができる。
【００４５】
図７は、ビスＢ１により、上チルト部１２ａに下チルト部１１ａを締め付けた状態を示している。この状態において、上チルト部１２ａの筒状部１２ｄは、その外周面Ｓ２を下チルト１１ａ側の内周面Ｓ１に嵌合させてＯリングＲ５を押し潰し、この部分の止水を行っている。このとき、筒状部１２ｄは、その右端（外周面Ｓ２の先端）１２ｆがリング溝Ｇ１（ＯリングＲ５）よりも右側に位置していて、リング溝Ｇ１を完全に覆っている。また、止め輪Ｅと下チルト部１１ａの底部１１ｅの左端の当接面１１ｆとの間に第２の間隙ａが確保されている。この当接面１１ｆは、ビスＢ１を緩めて行ったときに、ビスＢ１がチルト軸Ｔａに沿って移動して、止め輪Ｅが当接する面である。つまり、ビスＢ１のそれ以上の移動を禁止するストッパとして作用する面である。さらに、ビスＢ１の先端側のおねじ部Ｂｃは、上チルト部１２ａの内筒部１２ｇの内側のめねじ部１２ｉに螺合されている。
【００４６】
ここで、止め輪Ｅが環状溝Ｇ２の左端に当接した状態での止め輪Ｅと底部１１ｅの当接面１１ｆとの間隙を第２の間隙ａ（距離ａ）とし、また、リング溝Ｇ１の右端から筒状部１２ｄの右端１２ｆまでの距離をｂとし、ビスＢ１の境界線Ｂｂから内筒部１２ｇの右端１２ｈまでの距離をｃとし、また、上述のように、外筒部１１ｃの右端側の当接面１１ｊとチルトホルダー１４の左端の当接面１４ｃとの距離をｄとする。
【００４７】
上述の距離ａ，ｂ，ｃ，ｄについて言い換えると、距離ａは、締め込んだビスＢ１を緩めて行ったときの、止め輪Ｅが当接面１１ｆに当接するまでの距離である。また、距離ｂは、ＯリングＲ５が確実に止水を行うために必要な距離であり、これが０以下になると、止水性能が低下するおそれがある。また、距離ｃは、内筒部１２ｇに対するビスＢ１の有効螺合長となる。この有効螺合長ｃは、ビスＢ１を緩めて行くと、徐々に減少する。そして、距離ｄは、ビスＢ１を緩めて行ったときの、下チルト部１１ａの移動可能な距離となる。
【００４８】
ここで、図７に示す、ビスＢ１を締め込んだ状態から徐々に緩めて行ったときの、チルト部の止水構造Ｓ全体の動作（各部材の動き）について説明する。ビスＢ１は、少し緩めただけで、上チルト部１２ａと下チルト部１１ａとの相対回転が可能となり、チルト角の調整が可能となるが、緩める程度を把握するのが困難であるため、一般には、ビスＢ１をさらに緩めつづけることになる。ビスＢ１を緩めて行くと、距離（有効螺合長）ｃが徐々に減少し、ビスＢ１の止め輪Ｅが距離ａだけ移動して、下チルト部１１ａの当接面１１ｆに当接する。ビスＢ１をさらに緩めると、止め輪Ｅによって下チルト部１１ａが同図中の右側に押され、右側への移動を開始する。さらに緩めつづけると、止め輪Ｅに押された下チルト部１１ａの当接面１１ｊが距離ｄだけ移動して、チルトホルダー１４の当接面１４ｃに当接して、それ以上の移動が禁止される。その後、ビスＢ１を緩めることができなくなる。
【００４９】
本実施形態においては、距離ａ，ｂ，ｃ，ｄの大小関係を以下のように設定した。
まず、
ｂ＞ｄ
に設定した。これにより、ビスＢ１を緩めて、下チルト部１１ａが移動可能な最大な距離ｄを移動した場合でも、上チルト部１２ａの筒状部１２ｄの右端１２ｆがリング溝Ｇ１（リングＲ５）に掛からない（リング溝Ｇ１を完全に覆っている）ので、止水性能が低下するおそれがない。つまり、所期の止水性能を確保することができる。
【００５０】
また、
（ａ＋ｄ）＜ｃ
に設定した。これにより、ビスＢ１を緩めて行って、ビスＢ１が距離ａだけ移動して有効螺合長ｃが、（ｃ−ａ）に減少し、さらに、ビスＢ１が距離ｄだけ移動して、有効螺合長が（ｃ−ａ−ｄ）となった場合でも、
ｃ−（ａ＋ｄ）＞０
となるため、有効螺合長を確保することが可能となる。これにより、ビスＢ１が上チルト部１２ａのめねじ部１２ｉから外れるのを防止することができる。なお、ビスＢ１が上チルト部１２ａから外れてしまうと、例えば、チルトホルダー１４が取り外されている場合には、上チルト部１２ａから下チルト部１１ａが脱落するおそれがある。上述のようにビスＢ１が外れないようにすることで、このような不具合を防止することができる。
【００５１】
ここで、上述したチルト部の止水構造Ｓの効果について整理する。
ビス（締結ねじ）Ｂ１の弛緩により、下チルト部（第１チルト部）１１ａと上チルト部（第２チルト部）１２ａとの相対回転が可能となり、下アーム１１に対する上アーム１２のチルト角の調整が可能となり、調整後にビスＢ１の締付けにより、チルト角を調整した状態で両者を固定することができる。このとき、チルトホルダー（ストッパ部材）１４は、Ｏリング（止水リング）Ｒ５による止水を確実に行いうる範囲内でしか下チルト部１１ａの移動を許容しないので、ビスＢ１を最大限緩めても、止水性能が低下することがない。このため、例えば、照明器具１００を屋外に設置し、雨中でチルト角の調整を行った場合でも、確実に止水を行うことができる。
【００５２】
また、ストッパとして作用するチルトホルダー１４は、環状ガイド部１４ｄによって、下ホルダ１１ａの相対回転及びチルト軸方向の相対移動をガイドすることができるので、ビスＢ１が緩められても、下チルト部１１ａをガタツクことなくガイドすることができる。
【符号の説明】
【００５３】
１０    ベース
１１    下アーム（第１アーム）
１１ａ  下チルト部（第１チルト部）
１１ｊ  当接面（当接部）
１２    上アーム（第２アーム）
１２ａ  上チルト部（第２チルト部）
１２ｆ  内周面の先端（他方の先端）
１４    チルトホルダー（ストッパ部材）
１４ａ  固定部
１４ｃ  当接面（ストッパ面、当接部）
１４ｄ  環状ガイド部
１００  照明器具
ａ      距離（第２の間隙）
ｂ      距離（内周面の先端から止水リングからまでの距離）
ｃ      有効螺合長
ｄ      距離（第１の間隙）
Ｂｏ    照明器具本体
Ｂ１    ビス（締結ねじ）
ｄ      第１の間隙
Ｅ      止め輪（止め部材）
Ｇ１    リング溝
Ｍｏ    取付具
Ｒ５    Ｏリング（止水リング）
Ｓ      チルト部の止水構造
Ｓ１    内周面（一方）
Ｓ２    外周面（他方）
Ｔ      チルト部
Ｔａ    チルト軸
【図１】
2015130231.tif 000003
【図２】
2015130231.tif 000004
【図３】
2015130231.tif 000005
【図４】
2015130231.tif 000006
【図５】
2015130231.tif 000007
【図６】
2015130231.tif 000008
【図７】
2015130231.tif 000009